(57)【特許請求の範囲】
【請求項１】
エレベータのフェッシャープレート部材で構成されるフェッシャープレートであって、
前記フェッシャープレート部材として上側のフェッシャープレート部材と下側のフェッシャープレート部材とを備え、
前記上側のフェッシャープレート部材が下部に下嵌合部を備えているとともに前記下側のフェッシャープレート部材が上部に上嵌合部を備え、
前記上嵌合部は、係止用の引掛け部を有し、
前記下嵌合部は、前記引掛け部が引っ掛けられることで前記上嵌合部を係止させる引掛け受部を有し、
前記上嵌合部は、プレート部材板厚分の上部段差を形成するように昇降路壁側に張り出して上方に延び出し、その上の乗場敷居に固定され得る寸法の上固定部を備え、
前記下嵌合部は、前記上固定部が差し込まれる横方向スリットを形成するとともに、プレート部材板厚分の下部段差を形成するように昇降路壁側に張り出して下方に延び出し、その下のヘッダーケースに固定され得る寸法の下固定部を備え、
前記引掛け部として、前記上固定部から下方に突出する引掛け爪部が設けられ、
前記引掛け受部として、前記引掛け爪部が差し込まれて係止する係止孔部が設けられていることを特徴とするフェッシャープレート。
【請求項２】
前記横方向スリットの長さが前記上固定部の横幅よりも長くされていることにより、
前記上固定部を前記横方向スリットに差し込み、前記上固定部が前記係止孔部側のスリット端部に当接するまで前記下側のフェッシャープレート部材を横方向に移動させ、前記下側のフェッシャープレート部材を上下方向に向けつつ前記引掛け爪部を前記係止孔部に引っ掛けることが可能であることを特徴とする請求項１に記載のフェッシャープレート。
【請求項３】
エレベータのフェッシャープレート部材で構成されるフェッシャープレートであって、
前記フェッシャープレート部材として上側のフェッシャープレート部材と下側のフェッシャープレート部材とを備え、
前記上側のフェッシャープレート部材が下部に下嵌合部を備えているとともに前記下側のフェッシャープレート部材が上部に上嵌合部を備え、
前記上嵌合部は、係止用の引掛け部を有し、
前記下嵌合部は、前記引掛け部が引っ掛けられることで前記上嵌合部を係止させる引掛け受部を有し、
前記下側のフェッシャープレート部材の正面側上部および側面側上部に、前記引掛け部として、下方に突出する引掛け爪部が設けられ、
前記上側のフェッシャープレート部材の正面側下部および側面側下部に、前記引掛け爪部が入れられて係止する係止孔部が設けられ、
前記引掛け爪部には、クランク凹部が形成され、
前記係止孔部には、前記クランク凹部に入り込んで前記引掛け爪部を係止する横バー部が形成されていることを特徴とするフェッシャープレート。
【請求項４】
前記下側のフェッシャープレート部材の正面側上部に設けられた前記引掛け爪部は、両サイド部から下方にかけて爪部中央側へ傾斜する傾斜部を有することを特徴とする請求項３に記載のフェッシャープレート。
【請求項５】
前記上側のフェッシャープレート部材と前記下側のフェッシャープレート部材とが同寸法とされ、
何れのフェッシャープレート部材であっても、プレート部材上部には、乗場敷居およびプレート部材下部にボルト連結可能にする貫通孔が形成されているとともに、プレート部材下部には、ヘッダーケースおよびプレート部材上部にボルト連結可能にする縦方向に沿った長孔が形成されていることを特徴とする請求項１〜４の何れか１項に記載のフェッシャープレート。
【請求項６】
前記上側のフェッシャープレート部材と前記下側のフェッシャープレート部材との間、または、前記下側のフェッシャープレート部材とその下のヘッダーケースとの間に介在する長さ調整用フェッシャープレート部材を備え、
該長さ調整用フェッシャープレート部材には、挿通したボルトで締めることで部材を固定可能にするための縦方向スリットが形成されていることを特徴とする請求項５に記載のフェッシャープレート。
【発明の詳細な説明】
【技術分野】
【０００１】
本発明の実施形態は、エレベータのフェッシャープレートおよびフェッシャープレート据え付け方法に関する。
【背景技術】
【０００２】
エレベータでは、安全対策の一つとして、運転中に異常が発生して乗りかごが階間に停止した際に、乗客が誤ってかごドアを開けても乗りかごと昇降路壁との隙間から乗客が落下しないように、乗りかごの敷居と昇降路壁との距離が一定以上である場合にフェッシャープレートを昇降路内に設けることが義務付けられている（例えば特許文献１参照）。
【先行技術文献】
【特許文献】
【０００３】
【特許文献１】特開平03-018579号公報
【発明の概要】
【発明が解決しようとする課題】
【０００４】
ところで、このようなフェッシャープレートでは、建物毎に異なる各階間距離やエレベータ出入口の幅に応じて長さや幅を異ならせる必要がある。このため、フェッシャープレートを製造する際、建物に合わせてプレート材の長さを指定して製造している。従って、建物毎に長さの異なるフェッシャープレートをその都度製造しており、大量生産やストックしておくことが難しい。
【０００５】
また、複数枚のフェッシャープレートを連結する際、どのフェッシャープレートが建物のどの部位に配置されるかが据え付け現場で作業員に判り難く、据え付けに時間がかかる。
【０００６】
本発明は上記課題に鑑みてなされたものであり、大量生産が可能で、しかも、据え付け作業の時間を短縮できるフェッシャープレートおよびフェッシャープレート据え付け方法を提供することを課題とする。
【課題を解決するための手段】
【０００７】
本発明の実施形態に係るフェッシャープレートは、エレベータのフェッシャープレート部材で構成されるフェッシャープレートであって、フェッシャープレート部材として上側のフェッシャープレート部材と下側のフェッシャープレート部材とを備える。そして、上側のフェッシャープレート部材が下部に下嵌合部を備えているとともに下側のフェッシャープレート部材が上部に上嵌合部を備える。上嵌合部は、係止用の引掛け部を有し、下嵌合部は、引掛け部が引っ掛けられることで上嵌合部を係止させる引掛け受部を有する。
【図面の簡単な説明】
【０００８】
【図１】第１実施形態でフェッシャープレートの取付位置を説明する図であり、（ａ）は側面断面図、（ｂ）はフェッシャープレートの取付位置を説明する乗りかご側から見たフェッシャープレート正面図。
【図２】第１実施形態で、（ａ）はフェッシャープレート部材の斜視図、（ｂ）は（ａ）の部分拡大図、（ｃ）は（ａ）の部分拡大図。
【図３】第１実施形態でフェッシャープレートを組み立てることを説明する斜視図。
【図４】第１実施形態でフェッシャープレートを組み立てることを説明する斜視図。
【図５】第１実施形態で、（ａ）はフェッシャープレートを組み立てることを説明する斜視図、（ｂ）は（ａ）の部分拡大図。
【図６】第２実施形態で用いる長さ調整用フェッシャープレート部材を示す斜視図。
【図７】第２実施形態でフェッシャープレートを組み立てることを説明する斜視図。
【図８】第２実施形態でフェッシャープレートを組み立てることを説明する斜視図。
【図９】第２実施形態でフェッシャープレートを組み立てることを説明する斜視図。
【図１０】第２実施形態で、（ａ）はフェッシャープレートを組み立てることを説明する斜視図、（ｂ）は（ａ）の部分拡大図。
【図１１】第３実施形態で、（ａ）フェッシャープレートを組み立てることを説明する正面側の斜視図、（ｂ）は（ａ）の部分拡大図、（ｃ）は、フェッシャープレートを組み立てることを説明する側面側の部分斜視図。
【図１２】第３実施形態で、（ａ）フェッシャープレートを組み立てることを説明する正面側の斜視図、（ｂ）は（ａ）の部分拡大図、（ｃ）は、フェッシャープレートを組み立てることを説明する側面側の部分斜視図。
【図１３】第３実施形態の変形例で、（ａ）はフェッシャープレート部材の背面側（昇降路壁側）の斜視図、（ｂ）は（ａ）の部分拡大図、（ｃ）は、フェッシャープレート部材の側面部を示す背面側の部分斜視図。
【図１４】第３実施形態で用いる長さ調整用フェッシャープレート部材を示す斜視図。
【図１５】第３実施形態で、（ａ）フェッシャープレートを組み立てることを説明する正面側の斜視図、（ｂ）は（ａ）の部分拡大図。
【発明を実施するための形態】
【０００９】
以下に、添付図面を参照して、実施形態に係るフェッシャープレートを説明する。なお、第２実施形態以降では、既に説明した構成要素と同一、類似のものには同一の符号を付し、適宜に説明を省略している。
【００１０】
［第１実施形態］
まず、図１ｋ図５を参照しつつ第１実施形態を説明する。なお、図１（ｂ）では、かごドアの開く幅Ｗが示されている。
【００１１】
本実施形態のフェッシャープレート１０は、エレベータの乗場敷居ＴとヘッダーケースＨ（乗場ヘッダー。乗場ドアの上側を覆っている部材）との間に配置され、上下方向に互いに連結される２枚のフェッシャープレート部材、すなわち、上側のフェッシャープレート部材１２と下側のフェッシャープレート部材１４とで構成される。
【００１２】
本実施形態では、図３に示すように、上側のフェッシャープレート部材１２は、下部に下嵌合部１６を備え、下側のフェッシャープレート部材１４は、上部に上嵌合部１８を備える。
【００１３】
下嵌合部１６および上嵌合部１８は、プレート部材に切断加工および曲げ加工を施すことで形成されている。上嵌合部１８は、係止用の引掛け部２０（図５（ｂ）も参照）を有し、下嵌合部１６は、引掛け部２０が引っ掛けられることで上嵌合部１８を係止させる引掛け受部２２を有する。
【００１４】
上嵌合部１８は、プレート部材板厚分の上部段差ＵＤを形成するように昇降路壁側（乗りかご側とは反対側）に張り出して上方に延び出し、その上の乗場敷居Ｔ（図１参照）に固定され得る寸法の上固定部１８ｆ１〜ｆ３を備える。上固定部１８ｆ１、ｆ２はプレート幅方向両端部にそれぞれ配置されており、上固定部１８ｆ３はプレート幅方向中央部に配置されている。
【００１５】
下嵌合部１６は、上固定部１８ｆ１〜ｆ３がそれぞれ差し込まれて固定される下固定部１６ｉ１〜ｉ３を備える。下固定部１６ｉ１〜ｉ３は、何れも、プレート部材板厚分の下部段差ＬＤを形成するように昇降路壁側に張り出して下方に延び、その下のヘッダーケースＨに固定され得る寸法にされている。
【００１６】
下固定部１６ｉ１は上固定部１８ｆ１が差し込まれる横方向スリット１６ｓ１を有し、下固定部１６ｉ２は上固定部１８ｆ２が差し込まれる横方向スリット１６ｓ２を有し、下固定部１６ｉ３は上固定部１８ｆ３が差し込まれる横方向スリット１６ｓ３を有する。
【００１７】
更に、上嵌合部１８には、引掛け部２０として、上固定部１８ｆ１の上部段差ＵＤから下方に突出する引掛け爪部２０ｎ１が設けられており、上固定部１８ｆ２にも同様に引掛け爪部２０ｎ２が設けられている。
【００１８】
そして下嵌合部１６には、引掛け受部２２として、引掛け爪部２０ｎ１が差し込まれて係止する係止孔部２２ｈ１と、引掛け爪部２０ｎ２が差し込まれて係止する係止孔部２２ｈ２とが設けられている。
【００１９】
本実施形態では、何れのフェッシャープレート部材であっても、乗場敷居Ｔおよびプレート部材下部にボルト連結可能にする貫通孔１８ｈ１〜ｈ３がそれぞれ形成された上固定部１８ｆ１〜ｆ３をプレート部材上部に有するとともに、ヘッダーケースＨおよび上固定部１８ｆにボルト連結可能にする縦方向に沿った長孔１６ｍ１〜ｍ３をプレート部材下部に有する構成になっている。
【００２０】
また、本実施形態では、横方向スリット１６ｓ１〜ｓ３の長さがそれぞれ上固定部１８ｆ１〜ｆ３の横幅よりも長くされていることにより、上固定部１８ｆ１〜ｆ３をそれぞれ横方向スリット１６ｓ１〜ｓ３に差し込み、上固定部１８ｆ１、ｆ２がそれぞれ係止孔部２２ｈ１、ｈ２側のスリット端部１６ｅ１、ｅ２に当接するまで下側のフェッシャープレート部材１４を横方向に移動させ、下側のフェッシャープレート部材１４を上下方向に向けつつ下方へ引っ張ることで、引掛け爪部２０ｎ１、ｎ２をそれぞれ係止孔部２２ｈ１、ｈ２に引っ掛けて係止させることが可能な構成にされている。
【００２１】
本実施形態でフェッシャープレート１０を据え付けるには、まず、上側のフェッシャープレート部材１２の上固定部１８ｆ１〜ｆ３を乗場敷居Ｔにボルト等で固定する。
【００２２】
そして、上側のフェッシャープレート部材１２の横方向スリット１６ｓ１〜ｓ３に、それぞれ、下側のフェッシャープレート部材１４の上固定部１８ｆ１〜ｆ３を差し込む。なお、その際には、斜め下方から斜め上方に向けて差し込むと差し込み易い。
【００２３】
その後、上固定部１８ｆ１〜ｆ３をそれぞれ係止孔部２２ｈ１〜ｈ３側のスリット端部１６ｅ１〜ｅ３に当接するまで下側のフェッシャープレート部材１４を横方向に移動させる。そして、下側のフェッシャープレート部材１４を上下方向に向けつつ引掛け爪部２０ｎ１、ｎ２をそれぞれ係止孔部２２ｈ１、ｈ２に引っ掛けることで、下上嵌合部１８を下嵌合部１６に係止させる。
【００２４】
更に、下側のフェッシャープレート部材１４の長孔１６ｍ１〜ｍ３にボルト等を挿通させ、ヘッダーケースＨに下側のフェッシャープレート部材１４を固定することでフェッシャープレート１０が据え付けられる。このフェッシャープレート１０では、下上嵌合部１８と上嵌合部１６とが嵌合状態となっている。
【００２５】
従って、ボルト、ナットなどの締結具を用いずに（すなわちビスレス構造で）上側のフェッシャープレート部材１２と下側のフェッシャープレート部材１４とを簡単な作業で係止して据え付けることができるので、据え付けにかかる作業時間が大幅に短縮される。また、どのフェッシャープレート部材がどの部位に配置されるかを据え付け現場で作業員が容易に判断することができ、この効果が更に顕著となる。
【００２６】
また、上下方向長さの異なる複数種のフェッシャープレート部材を予め生産しておき、建物の階間距離に応じて、用いるフェッシャープレート部材の種類を選定してフェッシャープレート１０を据え付けることができるので、建物毎に長さの異なるフェッシャープレートをその都度製造しなくても済む。
【００２７】
また、エレベータドアが開いたときの乗降口の幅が広いときは、その幅に応じてフェッシャープレート１０を複数列に並べて配置することができる。
【００２８】
なお、乗場敷居Ｔと乗場ヘッダーＨとの間隔が比較的短い建物では、フェッシャープレート１０を１枚のフェッシャープレート部材で構成させることが可能である。
【００２９】
また、上嵌合部１６と下嵌合部１８とを予め嵌合させたものを、乗場敷居ＴおよびヘッダーケースＨに固定してもよい。
【００３０】
また、引掛け部２０の形状を特に爪状に限定する必要はなく、引掛け受け部２２に引っ掛けられて嵌合可能となる形状であれば適用可能である。また、例えば、引掛け部２０を形成する際、曲げ加工に限らず絞り加工などの他の加工で形成してもよい。
【００３１】
また、上側のフェッシャープレート部材１２や下側のフェッシャープレート部材１４が、補強部（例えば、Ｌ字状、コの字状、ハット型などの形状のもの）を備えていてもよい。
【００３２】
また、図２〜図５に示すように、上側のフェッシャープレート部材１２と下側のフェッシャープレート部材１４とが同寸法とされていてもよい。この場合、以下の方法で据え付けると、更に簡単に短時間で据え付けることが可能になる。
【００３３】
まず係止用の引掛け部を上部に有するとともに、引掛け部が引っ掛けられることで係止させる引掛け受部を下部に有するフェッシャープレート部材を、複数にわたって予め用意しておく。
【００３４】
そして、１つ、または、複数のフェッシャープレート部材を階間距離に応じて選定し、選定したフェッシャープレート部材を用いてフェッシャープレートを昇降路内に据え付けることができる。
【００３５】
よって、階間距離に応じた長さのフェッシャープレート部材を個別に製造しなくても、その階間距離に応じて上下方向に連結させるフェッシャープレート部材の個数を据え付け現場で調整することでフェッシャープレートを据え付けることができるので、建物毎に長さの異なるフェッシャープレートをその都度製造しなくても済む。従って、短い工事期間で据え付けることができるとともに、フェッシャープレート部材の製造にかかる時間を大きく短縮することができる。
【００３６】
［第２実施形態］
次に、図６〜図１０を参照しつつ第２実施形態を説明する。本実施形態のフェッシャープレート３０では、第１実施形態に比べ、上側のフェッシャープレート部材１２の下に長さ調整用フェッシャープレート部材３２が連結され、この長さ調整用フェッシャープレート部材３２の下に下側のフェッシャープレート部材１４が連結されている。
【００３７】
長さ調整用フェッシャープレート部材３２の上部には、上側のフェッシャープレート部材１２や下側のフェッシャープレート部材１４と同様、上固定部１８ｆ１〜ｆ３が設けられている。従って、上側のフェッシャープレート部材１２の下に長さ調整用フェッシャープレート部材３２を係止させたときには、長さ調整用フェッシャープレート部材３２の上固定部１８ｆ１〜ｆ３がそれぞれ上側のフェッシャープレート部材１２の横方向スリット１６ｓ１〜ｓ３に入り込み、引掛け爪部２０ｎ１、ｎ２がそれぞれ係止孔部２２ｈ１、ｈ２に差し込まれる。
【００３８】
そして長さ調整用フェッシャープレート部材３２には、下側のフェッシャープレート部材１４の上固定部１８ｆ１、ｆ２にそれぞれ固定され得る位置に、挿通したボルトＢで締めることで部材を固定可能にするための縦方向スリット３４ｖ１、ｖ２が形成されている。
【００３９】
この結果、上側のフェッシャープレート部材１２の下に長さ調整用フェッシャープレート部材３２を係止させ、かつ、下側のフェッシャープレート部材１４をヘッダーケースＨに取り付けたときには、下側のフェッシャープレート部材１４の上固定部１８ｆ１の貫通孔１８ｈ１と長さ調整用フェッシャープレート部材３２の縦方向スリット３４ｖ１との横方向位置が同じになるとともに、下側のフェッシャープレート部材１４の上固定部１８ｆ２の貫通孔１８ｈ２と長さ調整用フェッシャープレート部材３２の縦方向スリット３４ｖ２との横方向位置が同じになる。
【００４０】
そして、縦方向スリット３４ｖ１と下側のフェッシャープレート部材１４の貫通孔１８ｈ１とに締結用のボルトを挿通するとともに、縦方向スリット３４ｖ２と下側のフェッシャープレート部材１４の貫通孔１８ｈ２とに締結用のボルトを挿通してボルト締めすることにより、フェッシャープレート３０が据え付けられる。
【００４１】
本実施形態により、フェッシャープレート据付け位置の階間距離が長孔１６ｍで調整しきれない長さであっても、長さ調整用フェッシャープレート部材３２を用いることにより適切に簡単に据え付けることが可能になる。例えば、フェッシャープレート部材１枚分よりも若干短い上下方向長さのフェッシャープレート部材を追加したい場合には、図９に示すように、縦方向スリット３４ｖ１、ｖ２の下部のほうで長さ調整用フェッシャープレート部材３２を下側のフェッシャープレート部材１４に連結する。フェッシャープレート部材１枚分よりも大幅に短い上下方向長さのフェッシャープレート部材を追加したい場合には、縦方向スリット３４ｖ１、ｖ２の中部（図１０参照）あるいは上部のほうで長さ調整用フェッシャープレート部材３２を下側のフェッシャープレート部材１４に連結する。
【００４２】
［第３実施形態］
次に、図１１および図１２を参照しつつ第３実施形態を説明する。本実施形態のフェッシャープレート４０は、エレベータの乗場敷居ＴとヘッダーケースＨ（図１等を参照）との間に配置され、上下方向に互いに連結される２枚のフェッシャープレート部材、すなわち、上側のフェッシャープレート部材４２と下側のフェッシャープレート部材４４とで構成される。
【００４３】
本実施形態では、上側のフェッシャープレート部材４２は、下嵌合部４６をプレート部材下部に備え、下側のフェッシャープレート部材４４は、上嵌合部４８をプレート部材上部に備える。下嵌合部４６および上嵌合部４８は、プレート部材に切断加工および曲げ加工を施すことで形成されている。
【００４４】
そして、上嵌合部４８は、係止用の引掛け部５０を有し、下嵌合部４６は、引掛け部５０が引っ掛けられることで上嵌合部４８を係止させる引掛け受部５２を有する。
【００４５】
上嵌合部４８は、乗場敷居Ｔに固定され得る寸法の下固定部４８ｆ１〜ｆ３を備える。上固定部４８ｆ１、ｆ２はそれぞれプレート幅方向両端部にそれぞれ配置されており、上固定部４８ｆ３はプレート幅方向中央部に配置されている。
【００４６】
そして上嵌合部４８は、引掛け部５０として、プレート部材の正面側上部で裏面側（下側のフェッシャープレート部材４４側）に張り出しつつ下方に向けてクランク状に延び出している引掛け爪部５０ｎ１〜ｎ３を有するとともに、プレート部材側面側上部で裏面側（下側のフェッシャープレート部材４４側）にそれぞれ張り出しつつ下方に向けてクランク状に延び出している引掛け爪部５１ｎ１、ｎ２を有する。引掛け爪部５０ｎ１、ｎ２はプレート幅方向両側にそれぞれ配置されており、引掛け爪部５０ｎ３はプレート幅方向中央部に配置されている。
【００４７】
また本実施形態では、引掛け爪部５０ｎ１〜ｎ３は、両サイド部から下方にかけて爪部中央側へ傾斜する傾斜部５４を有しており、引掛け爪部５０ｎ１〜ｎ３の先端部は例えば台形状となっている。
【００４８】
下嵌合部４６は、引掛け受部５２として、引掛け爪部５０ｎ１〜ｎ３がそれぞれ入れられる係止孔部５２ｈ１〜ｈ３（引掛け窓部）をプレート部材の正面側下部に有し、引掛け爪部５１ｎ１、ｎ２がそれぞれ入れられる係止孔部５３ｈ１、ｈ２をプレート部材の側面側下部に有する。
【００４９】
係止孔部５２ｈ３には、引掛け爪部５０ｎ３のクランク凹部５０ｎ３ｄ（図１１（ｂ）、図１２（ｂ）参照）に入り込んで引掛け爪部５０ｎ３を係止する横バー部５６が形成されている。
【００５０】
また、係止孔部５３ｈ１、ｈ２は、プレート部材の側面側下部から正面側下部にまで跨っており、引っ掛け爪部５１ｎ１、ｎ２を上側のフェッシャープレート部材４２の正面側からそれぞれ係止孔部５３ｈ１、ｈ２に挿入可能となっている。
【００５１】
本実施形態では、何れのフェッシャープレート部材であっても、乗場敷居Ｔおよびプレート部材下部にボルト連結可能にする貫通孔４８ｈ１〜ｈ３がそれぞれ形成された上固定部４８ｆ１〜ｆ３をプレート部材上部に有するとともに、ヘッダーケースＨおよび上固定部４８ｆ１〜ｆ３にそれぞれボルト連結可能にする縦方向に沿った長孔４６ｍ１〜ｍ３をプレート部材下部に有する構成になっている。
【００５２】
本実施形態でフェッシャープレート４０を据え付けるには、まず、上側のフェッシャープレート部材４２の上固定部４８ｆ１〜ｆ３を乗場敷居Ｔにボルト等で固定する。
【００５３】
そして、上側のフェッシャープレート部材４２の係止孔部５２ｈ１〜ｈ３に、それぞれ、プレート正面側から、下側のフェッシャープレート部材４４の引掛け爪部５０ｎ１〜ｎ３を入れる。
【００５４】
そして、下側のフェッシャープレート部材４４を下方へ引き下げることにより、引掛け爪部５０ｎ１、ｎ２がそれぞれ係止孔部５２ｈ１、ｈ２の開口縁に上方から差し込まれて係止されるとともに、引掛け爪部５０ｎ３が係止孔部５２ｈ３の横バー部５６を引掛け爪部５０ｎ３の先端部（下端部）が乗り越えて、引掛け爪部５０ｎ３のクランク凹部５０ｎ３ｄに横バー部５６が入り込んで引掛け爪部５０ｎ３が係止される。
【００５５】
更に、下側のフェッシャープレート部材４４の下部をヘッダーケースＨに固定することで、フェッシャープレート４０が据え付けられる。
【００５６】
従って、ボルト、ナットなどの締結具を用いずに上側のフェッシャープレート部材４２と下側のフェッシャープレート部材４４とを簡単な作業で係止して据え付けることができるので、据え付けにかかる作業時間が大幅に短縮される。
【００５７】
また、フェッシャープレート部材を予め大量生産しておき、建物の階間距離に応じて、フェッシャープレート部材の種類を選定してフェッシャープレート４０を据え付けることができるので、建物毎に長さの異なるフェッシャープレートをその都度製造しなくても済む。また、どのフェッシャープレート部材がどの部位に配置されるかを据え付け現場で作業員が容易に判断することができるので、この効果が更に顕著となる。
【００５８】
また、引掛け爪部５０ｎ１〜ｎ３は、両サイド部から下方にかけて爪部中央側へ傾斜する傾斜部５４を有している。これにより、引掛け爪部５０ｎ１〜ｎ３をそれぞれ係止孔部５２ｈ１〜ｈ３に差し込む際、傾斜部５４が係止孔部５２ｈ１〜ｈ３の上下方向の側部に当接しても引掛け爪部５０ｎ１〜ｎ３が正常な差し込み方向にスムーズに案内される。この効果は、引掛け爪部５０ｎ１〜ｎ３の先端部が台形状となっていることで、更に顕著となる。
【００５９】
また、図１１、図１２に示しているように、上側のフェッシャープレート部材４２と下側のフェッシャープレート部材４４とが同寸法とされていてもよい。これにより、第１実施形態と同様、短い工事期間で据え付けることができるとともに、フェッシャープレート部材の製造にかかる時間を大きく短縮することができる。
【００６０】
また、本実施形態では、図１１、図１２では、３つの引掛け爪部５０ｎ１〜ｎ３および係止孔部５２ｈ１〜ｈ３を横方向に高さ位置を変化させつつ配置した例を示したが、これらの個数や配置位置は特にこれに限定されず、例えば図１３に示すように、５つの引掛け爪部５０ｎ１〜ｎ５および係止孔部５２ｈ１〜ｈ５を横方向に高さ位置を変化させつつ配置してもよい。
【００６１】
［第４実施形態］
次に、図１４および図１５を参照しつつ第４実施形態を説明する。本実施形態のフェッシャープレート６０では、第３実施形態に比べ、下側のフェッシャープレート部材４４の下に長さ調整用フェッシャープレート部材６２が連結され、この長さ調整用フェッシャープレート部材６２の下部がヘッダーケースＨに連結されている。また、下側のフェッシャープレート部材４４は、長さ調整用フェッシャープレート部材６２をボルトＢで締めて固定するためのボルト挿通用孔６４が縦方向に沿って複数形成されてなる孔列６６ｈ１〜ｈ３を、所定箇所に有する。
【００６２】
長さ調整用フェッシャープレート部材６２には、下側のフェッシャープレート部材４４の孔列６６ｈ１〜ｈ３にそれぞれ対応した位置に縦方向スリット６８ｖ１〜ｖ３が形成されている。
【００６３】
また、長さ調整用フェッシャープレート部材６２の下部には、下辺部に開口しヘッダーケースＨにボルト等で固定され得る長孔７０ｍ１〜ｍ３が形成されている。
【００６４】
本実施形態により、フェッシャープレート据付け位置の階間距離が長孔４６ｍ１〜ｍ３（図１１、図１２参照）で調整しきれない長さであっても、長さ調整用フェッシャープレート部材６２を用いることにより適切に簡単に据え付けることが可能になる。
【００６５】
また、長さ調整用フェッシャープレート部材６２をヘッダーケースＨに固定するボルト挿通用開口部７０ｍ１〜ｍ３の横方向位置を、貫通孔４８ｈ１〜ｈ３や縦方向スリット６８ｖ１〜ｖ３とは異ならせた任意の位置にすることが可能である。
【００６６】
以上、実施形態を挙げて説明したが、これらの実施形態は、その他の様々な形態で実施されることが可能であり、発明の要旨を逸脱しない範囲で、種々の省略、置き換え、変更を行うことができる。例えば、第１実施形態で、フェッシャープレート部材は２枚だけではなく、階間距離に応じて更に増やすことができ（例えば、図１に示すように４枚のフェッシャープレート部材で構成されるようなフェッシャープレート１１としてもよい）、他の実施形態でも同様である。また、フェッシャープレート部材の両サイド部に縦方向にアングルを設置させ、そのアングルにフェッシャープレート部材を引っ掛けることで、ビスレス構造にしてもよい。
【００６７】
そして、これらの実施形態やその変形は、発明の範囲や要旨に含まれると同様に、特許請求の範囲に記載された発明とその均等の範囲に含まれるものである。
【符号の説明】
【００６８】
１０…フェッシャープレート、１１…フェッシャープレート、１２…上側のフェッシャープレート部材、１４…下側のフェッシャープレート部材、１６…下嵌合部、１６ｅ１、ｅ２…スリット端部、１６ｉ１〜ｉ３…下固定部、１６ｍ１〜ｍ３…長孔、１６ｓ１〜ｓ３…横方向スリット、１８…上嵌合部、１８ｆ１〜ｆ３…上固定部、１８ｈ１〜ｈ３…貫通孔、２０…引掛け部、２０ｎ１、ｎ２…引掛け爪部、２２…引掛け受部、２２ｈ１、ｈ２…係止孔部、３０…フェッシャープレート、３２…長さ調整用フェッシャープレート部材、３４ｖ１、ｖ２…縦方向スリット、４０…フェッシャープレート、４２…上側のフェッシャープレート部材、４４…下側のフェッシャープレート部材、４６…下嵌合部、４６ｍ１〜ｍ３…長孔、４８…上嵌合部、４８ｆ１〜ｆ３…上固定部、４８ｈ１〜ｈ３…貫通孔、５０…引掛け部、５２…引掛け受部、５０ｎ１〜ｎ５…引掛け爪部、５１ｎ１、ｎ２…引掛け爪部、５２ｈ１〜ｈ５…係止孔部、５３ｈ１、ｈ２…係止孔部、５４…傾斜部、６０…フェッシャープレート、６２…長さ調整用フェッシャープレート部材、６８ｖ１〜ｖ３…縦方向スリット、７０ｍ１〜ｍ３…長孔、Ｂ…ボルト、ＬＤ…下部段差、ＵＤ…上部段差、Ｔ…乗場敷居、Ｈ…ヘッダーケース
【要約】
【課題】大量生産が可能で、しかも、据え付け作業の時間を短縮できるフェッシャープレートおよびフェッシャープレート据え付け方法を提供することを課題とする。
【解決手段】フェッシャープレート１０は、上側のフェッシャープレート部材１２と下側のフェッシャープレート部材１４とを備える。そして、上側のフェッシャープレート部材１２が下部に下嵌合部１６を備え、下側のフェッシャープレート部材１４が上部に上嵌合部１８を備える。上嵌合部１８は、係止用の引掛け部２０を有し、下嵌合部１６は、引掛け部２０が引っ掛けられることで上嵌合部１８を係止させる引掛け受部２２を有する。
【選択図】図３【図１】
0005932074.tif 000002
【図２】
0005932074.tif 000003
【図３】
0005932074.tif 000004
【図４】
0005932074.tif 000005
【図５】
0005932074.tif 000006
【図６】
0005932074.tif 000007
【図７】
0005932074.tif 000008
【図８】
0005932074.tif 000009
【図９】
0005932074.tif 000010
【図１０】
0005932074.tif 000011
【図１１】
0005932074.tif 000012
【図１２】
0005932074.tif 000013
【図１３】
0005932074.tif 000014
【図１４】
0005932074.tif 000015
【図１５】
0005932074.tif 000016